(57)【特許請求の範囲】
【請求項１】
大容量記憶システムであって、
複数の大容量記憶装置を有する大容量記憶アレイと、
前記複数の大容量記憶装置からデータを受信しかつ前記複数の大容量記憶装置にデータを送信するための記憶制御装置と、
前記記憶制御装置とデータ及び指令を通信するために通信バスに接続されたホスト・コンピュータと、
を備え、
前記記憶制御装置は、前記ホスト・コンピュータとデータ及び指令を通信するために前記通信バスに接続されており、
前記ホスト・コンピュータは、工業規格プロトコルバス診断指令を変更することによってホスト側変更診断指令を生成し、前記ホスト側変更診断指令は、工業規格プロトコルの一部ではないが該工業規格プロトコルに適合しており、また、前記ホスト側変更診断指令は、選択された非診断指令を前記記憶制御装置に伝送するものであり、
前記記憶制御装置は、前記ホスト側変更診断指令を受信し、前記ホスト・コンピュータからの前記ホスト側変更診断指令の受信に応答して、前記通信バスを介して前記ホスト・コンピュータに記憶制御装置側変更診断指令を伝送し、
前記記憶制御装置側変更診断指令は、前記ホスト側変更診断指令とは異なるものであることを特徴とする大容量記憶システム。
【請求項２】
前記ホスト側変更診断指令は、記憶制御装置構成情報を要求するものである、請求項１に記載の大容量記憶システム。
【請求項３】
前記ホスト側変更診断指令は、指令の合計ＣＫＤエミュレーション・セットを表すものである、請求項１に記載の大容量記憶システム。
【請求項４】
前記ホスト側変更診断指令は、制御装置指令の実行を惹起するものである、請求項１に記載の大容量記憶システム。
【請求項５】
前記ホスト側変更診断指令は、制御装置コンカレント・コピーを要求するものである、請求項１に記載の大容量記憶システム。
【請求項６】
前記ホスト側変更診断指令は、前記ホスト・コンピュータにおいてグラフィック・ユーザ・インターフェースから導出される、請求項１に記載の大容量記憶システム。
【発明の詳細な説明】
本発明は、概して大容量記憶システムに関し、特に、ホスト・コンピュータと大容量記憶制御装置との間の通信網に関するものである。
今日のコンピュータ・システムの増大しつつある要求にかなうため、かつ同時に、それらの大容量記憶システムに渡って一層の制御を持たせるという顧客の増大する需要を満足させるため、ホストを通して大容量記憶制御装置と通信し、さらに、制御装置の特性及び構成を変更する能力を顧客に提供することが望ましいこととなってきた。以前は、このような制御能力は、現場（サイト）に移動しているカスタマエンジニアに対してのみ、もしくは中央のサービスビューロ場所と顧客サイトとの間のモデム接続を通してのみ利用可能であった。前者の場合においては、現場もしくはサイトにいるカスタマエンジニアは、制御装置における問題を診断し修正するという双方のために制御装置と通信し、並びに種々の機能及び制御装置動作の構成的アスペクトを変更する、そうでなければ影響を与えるであろう。後者の場合においては、遠隔のサービス場所（サイト）にいるサービス・エンジニアが、顧客サイトにある職員コンピュータに対してモデム接続を介して同じ操作を行う。
ユーザのサイト（場所）もしくは中央のサービスビューロ（局）のいずれかにいるカスタマエンジニアによって、診断及び修正動作が行われる伝統的な方法では、必要なすべての手順を履行するためには有効であったが、それにもかかわらず、ユーザは、それらの同じ機能の幾つかを彼ら自身で行うことができること、例えば、大容量記憶制御装置が複数個のディスク・ドライブとインターフェースしているときに、その大容量記憶制御装置の動作に影響を与えることができることを終始一貫して主張して要求してきている。
しかしながら、同時に、制御装置とホストとの間の通信のために標準の、工業認識される、非所有もしくは非私営のシステム及びプロトコルを使用する必要性が成長し続けている。このような標準を基礎にしたシステム、例えばＳＣＳＩプロトコルの使用は、ホストとディスク・ドライブとの間の通信のために良く規定されている。しかしながら、例えば、ＳＣＳＩプロトコルに特別の機能指令を追加する能力は、プロトコルそれ自体によっては意図されていない。
発明の概要
本発明は、ホスト・プロセッサもしくはホスト処理装置と大容量記憶制御装置との間の通信を行うための方法及び装置に関し、この場合、通常の環境においては、これらのエレメントは、ＳＣＳＩプロトコルのような工業規格プロトコルを用いて通信する。
かかる大容量記憶システムは、ディスク・ドライブのような複数個の大容量記憶装置を有する大容量記憶アレイと；前記記憶装置からデータを受信しかつ前記記憶装置にデータを送信するための記憶制御装置と；該記憶制御装置とデータ及び指令を通信するために規格に基づいた通信バスに接続されたホスト・コンピュータと；を備え、前記記憶制御装置は、前記ホスト・コンピュータとデータ及び指令を通信するために前記規格に基づいたバスにも接続されており、前記ホストは、選択された特別の機能指令を前記記憶制御装置に伝送するために第１の規格に基づいたプロトコル指令を変更し、そして前記記憶制御装置は、前記変更された規格指令を受信し、ホストから受信された指令に応答して変更され規格に基づいたプロトコル指令を規格に基づいたバスに伝送するようにしたことを特徴とする。
本発明の特定の実施の形態において、バスはＳＣＳＩバスであり、変更されたＳＣＳＩ  ＳＥＮＤ及びＲＥＣＥＩＶＥ  ＤＩＡＧＮＯＳＩＴＣＳ（診断を送信し受信する）指令は、ディスク・アレイ、識別指令、等の構成を変更する指令を含み得る。
本発明の特定の態様において、変更されたＳＣＳＩ  ＳＥＮＤ及びＲＥＣＥＩＶＥ  ＤＩＡＧＮＯＳＴＩＣＳは、大容量記憶システムの記憶構成を変更するためにグラフィカルユーザインターフェース（ＧＵＩ）と結合して用いられる。他の態様においては、本発明は、発信ホスト・コンピュータがもはや利用可能でない場合に、ＳＣＳＩシステム（ＳＣＳＩ予約を指定した）を渡ってホストによって履行される予約を除去するように用いられ得る。
【図面の簡単な説明】
本発明の他の特徴及び長所は、本発明の特定の実施の形態の説明と共に以下の図面から明瞭となるであろう。図において：
図１は、本発明が有用である大容量記憶システムの図式的ブロック図；
図２Ａ−図２Ｇは、変更されたＳＣＳＩ指令を用いた一連のＤＩＡＧＮＯＳＴＩＣ  ＳＥＮＤ及びＲＥＣＥＩＶＥプロトコルを表す図；そして
図３Ａ−図３Ｄは、本発明によるＣＫＤエミュレータ指令のセクタの図である。
好適な実施の形態の説明
図１を参照すると、本発明による大容量記憶システム１０は、ここではディスク記憶装置１４のアレイである複数個の記憶装置に接続される記憶制御装置１２を有する。記憶制御装置１２は、ここではＳＣＳＩ（スカジー）バスである標準のもしくは規格化された通信チャンネル１６を渡って、適切なターミネータ１８を介して、ホスト・コンピュータ２０に接続される。記憶制御装置２０は、また、通信路２２を渡って、パーソナル・コンピュータ（ＰＣ）２４にも接続される。パーソナル・コンピュータは、キーボード２６とディスプレイ２８の双方を有する。キーボード２６は、機能、構造と構成、及び記憶制御装置１２の状況を制御するためのＰＣに、構成、診断、状況、修正、及び他の指令を入れるために、サービス職員によって用いられ得る。ＰＣは、また、モデム３０を介して、モデム３２を有する遠隔のサービスビューロ（局）にも接続される。遠隔のサービス局もしくはサービスビューロは、例えば、ＰＣもしくはワークステーションであって良い遠隔場所のコンピュータ・システム34を有し、それを通して指令が入れられ、かつそれによってＰＣ２４が操作されて記憶制御装置１２を制御する。
従って、遠隔サービス場所を通してユーザによって、もしくはユーザ場所にいるカスタマ・エンジニアによってサービスが要求されたとき、ＰＣ２４は常に制御装置に対する指令データ源として動作し、指令は、通信バス・ライン２２を介して記憶制御装置に送られる。通信バス２２は、その双方が同じ同じベンダにより構成されるＰＣと制御装置との間の指令構造を提供するように特に履行されるので、記憶制御装置を適正に診断し、制御し、かつ構成するために必要な種々の指令を組み込むためのその通信構造を設計するに際し、困難さはない。従って、本発明の譲受人であるＥＭＣコーポレーションによって、商標名Ｓｙｍｍｅｔｒｉｘの下に製造されるもののような記憶制御装置において代表的である、例えば、アレイ「ＲＡＩＤ」構成、ブロック・サイズ、論理ボリューム、ディスク・アダプタ及びチャンネル・アダプタ・ソフトウエア構成、並びにマッピング等を設定する種々の指令が、当該技術分野で良く知られており、設けられる。記憶制御装置の視点からは、データ及び指令エントリが、ＰＣキーボード２６から行われるか、またはモデム３０を通して遠隔場所のコンピュータ３４から行われるかは重要ではない。
本発明の好適な実施の形態によれば、産業上の利用互換性に対して望まれるように、ホストと記憶制御装置との間のバス１６は標準バス（規格バス）、すなわち本発明の示される実施の形態と関連して説明されるＳＣＳＩ（スカジー）プロトコルに従って動作するＳＣＳＩバスである。（他の標準（規格）バスも用いることができる。）このプロトコルは、（ディスク・ドライブへ及びディスク・ドライブからデータを転送することに対立するものとして）記憶制御装置を動作させる際に特に有用な指令、例えば、記憶装置を再構成するための指令、ＳＣＳＩアダプタ書き込み保護指令、警告されるべきイベントを識別する指令、ＲＤＦ（レコード定義フィールド）競合のための指令、統計量監視のための指令、等の指令を提供しない。
ＳＣＳＩプロトコルは、これらの特別の機能のための指令を提供しないので、異なった通信機構、もしくは追加の通信機構を見つけることが必要であった。従って、本発明によれば、かつ示されるＳＣＳＩプロトコルによれば、一連の特別指令機能が履行され、それらは双方ともバス・プロトコルとコンパチブルであり、未だプロトコルの部分ではない。本発明の示された実施の形態は、ＳＥＮＤ  ＤＩＡＧＮＯＳＴＩＣ（診断を送る）指令の変更を用いて複数個の特別の特徴指令を履行し、該特別の特徴指令は、ホストから記憶制御装置１２への伝送のために利用可能であり、該特別の特徴指令に対して、記憶制御装置は、ＲＥＣＥＩＶＥ  ＤＩＡＧＮＯＳＴＩＣ  ＲＥＳＵＬＴＳ（診断結果を受信）指令の修正されたセットを用いて応答するであろう。
本発明の特定の実施の形態によれば、履行されるのが好ましい特徴は：制御装置構成、すなわち制御装置、デバイス、キャッシュ等の構成に関するホストの質問に応答する「制御装置データ取得」指令；制御装置と同じ仕様及びパラメータ・フォーマットでメインフレーム制御装置「インライン」を履行する制御装置「インライン」指令；ＰＣによって与えられた或る指令の同じ仕様及びパラメータ・フォーマットでメインフレーム・コンカレント・コピーを履行する制御装置「コンカレント・コピー」指令；同じ仕様及びパラメータ・フォーマットで、ＰＣからの或る指令を履行する制御装置「ＭＰＬＦ」指令；或る制御装置指令を履行する「実行制御装置」指令；及びＩＢＭメインフレームに対して限定されるように、全体のＣＫＤ指令の組を履行する「合計ＣＫＤ（カウントキーデータ方式）エミュレーション」指令である。制御装置は、例えば、ＥＭＣ  ＣｏｒｐｏｒａｔｉｏｎのＳｙｍｍｅｔｒｉｘ制御装置であって良い。
本発明によれば、通信のプロセスは、概して、一緒にリンクされた２つの指令を用いて行われる。ホスト・コンピュータは、データのヘッダと情報のためのリクエストとを有するＳＥＮＤ  ＤＩＡＧＮＯＳＴＩＣＳ（診断を送る）指令を送る。もし指令が、データもしくは機能の実行のためのコール（手続き呼び出し）を要求するならば、第1の指令は、結果を提供しかつ応答ヘッダ及び応答データを含むＲＥＣＥＩＶＥ  ＤＩＡＧＮＯＳＴＩＣ  ＲＥＳＵＬＴＳ（診断結果を受信）指令とリンクされる。もし要求している指令がデータを制御装置に送るならば、第１の指令は、データがその後に続くヘッダを含むもう１つの「ＳＥＮＤ  ＤＩＡＧＮＯＳＴＩＣＳ（診断を送る）」指令にリンクされる。コンカレント・コピー指令の読取られたトラック／サイドファイルの場合において、ＲＥＡＤ  ＤＡＴＡ（読取りデータ）指令が第１の指令からリンクされるであろう。
さて、図２Ａを参照すると、ＳＥＮＤ  ＤＩＡＧＮＯＳＴＩＣＳ（診断を送る）指令（指令コード「ＩＤ」）が示される。形式的なＳＣＳＩ限定にかなうこの指令において、エレメント「ＰＦ」及び「ＳＥＬＦＴＳＴ」がゼロに等しくセットされ、ＰＡＲＡＭＥＴＥＲＳ  ＬＥＮＧＴＨ（パラメータ長さ）は、値８に等しくセットされる。（ＣＫＤ特徴にとって、ＰＡＲＡＭＥＴＥＲＳ  ＬＥＮＧＴＨ（パラメータ長さ）は必要に応じて異なっている。）これらのエレメントは、図２Ｂ及び２Ｃに図式的に示される。
図２Ｄを参照すると、ＲＥＣＥＩＶＥ  ＤＩＡＧＮＯＳＴＩＣ（診断を受信）結果、指令コード「ＩＣ」は、形式的なＳＣＳＩ限定であり、「８」に等しいＰＡＲＡＭＥＴＥＲＳ  ＬＥＮＧＴＨ（パラメータ長さ）を使用する。（ＣＫＤエミュレーションにとって、ＰＡＲＡＭＥＴＥＲＳ  ＬＥＮＧＴＨカウントは異なることができる。）ＳＥＮＤ  ＤＩＡＧＮＯＳＴＩＣＳ（診断を送る）指令と同様、ＲＥＣＥＩＶＥ  ＤＩＡＧＮＯＳＴＩＣ  ＲＥＳＵＬＴＳ（診断結果を受信）指令は、結果とデータに対して、図２Ｅに示されるパラメータ・ヘッダと、図２Ｆに示されるＲＥＳＵＬＴＳ  ＰＡＲＡＭＥＴＥＲ（結果パラメータ）とを有する。
ＳＥＮＤ  ＤＩＡＧＮＯＳＴＩＣＳ（診断を送る）指令によって履行される特別の特徴指令を一層詳細に考慮すると、特徴０、「制御装置データ取得」指令は、実際の制御装置構成に関するホストの質問に応答する。指令特徴１、制御装置インライン指令は、同じ仕様及びパラメータ・フォーマットを有するメインフレーム制御装置インラインを履行する。この特徴を有するどの指令も、実際、一緒にリンクされる２つの指令から成る。第1の指令は、常に、ゼロにセットされたフラグ「ＵＮＩＴＯＦＬ」を有するＳＥＮＤ  ＤＩＡＧＮＯＳＴＩＣＳ（診断を送る）指令である。この特徴番号を有するヘッダの後に、ホストは、メインフレームにおけるのと同じ数であるパラメータの１６バイトを送る。制御装置がデータを書き込むことがリクエストならば、第２のリンクされた「ＳＥＮＤ  ＤＩＡＧＮＯＳＴＩＣＳ（診断を送る）」ＳＣＳＩ指令は、１にセットされたフラグ「ＵＮＩＴＯＦＬ」を有し、それは、同じヘッダを有するであろう。後続のデータは、第１の指令パラメータによるカウントを持っているであろう。
もしリクエストがデータを読取ることであるならば、第２にリンクされた指令、「ＲＥＣＥＩＶＥＤ  ＤＩＡＧＮＯＳＴＩＣ  ＲＥＳＵＬＴＳ（診断結果を受信した）」は、ヘッダを有し、後続のデータは、第１の指令パラメータによるカウントを有するであろう。もしユーティリティもしくはテストが第1の指令によって要求されたならば、第2の指令が切り離し、要求されたユーティリティもしくはテストを実行し、そして次に、リターン・コードでもってＲＥＣＥＩＶＥ  ＤＩＡＧＮＯＳＴＩＣ  ＲＥＳＵＬＴＳ（診断結果を受信）指令におけるヘッダに戻る。
第３の指令、特徴２、は、制御装置のコンカレント・コピー指令である。この特徴は、他の指令の同じ仕様及びパラメータ・フォーマットを有するメインフレーム・コンカレント・コピー指令を履行する。特別の読取り指令は、「読取りトラック」もしくは「読取りトラック・イメージ」の双方を限定するようＳＥＮＤ  ＤＩＡＧＮＯＳＴＩＣ（診断を送る）指令のバイト１内のビットを用いて、「２８」指令のようにＳＣＳＩにおいて指定される正規の読取り指令を使用する。バイト６には、「セッションＩＤ」が置かれる。コンカレント・コピー特徴を扱う各リンクされた指令は、ＳＥＮＤ  ＤＩＡＧＮＯＳＴＩＣ（診断を送る）及びＲＥＣＥＩＶＥ  ＤＩＡＧＮＯＳＴＩＣ  ＲＥＳＵＬＴＳ（診断結果を受信）指令、またはＲＥＡＤ  ＤＡＴＡ（データを読取る）指令のいずれかの対から成る。対の第1のすなわち最初の指令は、メインフレームから、ＳＣＳＩプロトコルにおいて「２７」及び「３Ｅ」で指定される指令の対に取って代わる。対の第2のすなわち二番目の指令は、読取りトラック及び読取りサイドファイル指令をカバーし、該指令のために、システムは、図２Ｇに示されるフォーマットを有する、「２８」をラベル付けられたＳＣＳＩ指令の保存された部分を使用するであろう。この指令において、コンカレント・コピーに接続されるバイト１におけるフラグは：「ＲＴ」、ＲＥＡＤ  ＴＲＡＣＫ（トラックを読取る）指令；及び「ＲＴＩ」ＲＥＡＤ  ＴＲＡＣＫ  ＩＭＡＧＥ（トラック・イメージを読取る）指令である。バイト６において、セッションＩＤは、ＲＴ及びＲＴＩ指令に接続される。ＲＥＡＤ  ＴＲＡＣＫ指令は、常に固定されたサイズであるので、末尾は必要ではない。ＲＥＡＤ  ＴＲＡＣＫ  ＩＭＡＧＥ指令に対しては、システムは、サイドフレーム・トラックのメインフレーム・ヘッダと正確に同じヘッダを送る。
読取り制御装置データ指令において、システムは、コンカレント・コピー・トラックに変換するために、エミュレーション・ジオメトリ「ブロック、トラック、及びシリンダ」を得るであろう指令を有するということに留意することがさらに重要である。第２に、ＳＣＳＩプロトコルにおいて、注意メッセージを有するコンカレント・コピー状態についてホストに知らせる能力が無く、それ故、コンカレント・コピー状態について制御装置をポーリングするのは、ホスト・システムの責任である。
特徴３、制御装置「ＭＰＬＦ」に関して、システムは、ＳＥＮＤ  ＤＩＡＧＮＯＳＴＩＣ及びＲＥＣＥＩＶＥ  ＤＩＡＧＮＯＳＴＩＣ  ＲＥＳＵＬＴＳ（診断を送り診断結果を受信）ＳＣＳＩ指令を含む一対のリンクされた指令で動作を履行する。その対の指令は、メインフレーム・コンピュータ内に代表的には見られる指令の対に取って代わり、ＭＰＬＦによって用いられるすべての命令及び二次命令に対して履行されるであろう。ＳＣＳＩ指令「２７」の場合において、もしシステムが、追加の「状態変更子」を終了状態に追加するならば、本発明によるシステムは、ＳＥＮＤ  ＤＩＡＧＮＯＳＴＩＣ（診断を送る）終了状態に「条件メット（ｍｅｔ）」バイトを追加する。
特徴４は、制御装置指令を実行する。リンクされたどの指令も制御装置指令を扱い、一対の診断指令、すなわちＳＥＮＤ  ＤＩＡＧＮＯＳＴＩＣ（診断を送る）及びＲＥＣＥＩＶＥ  ＤＩＡＧＮＯＳＴＩＣ  ＲＥＳＵＬＴＳ（診断結果を受信）指令から成る。
本発明のこの好適な実施の形態による特徴５は、合計ＣＫＤエミュレーションを行う指令である。この特徴は、例えば３９９０ＣＫＤ／ＥＣＫＤ指令セットの合計エミュレーションを形成するために指令の４つの型を使用する。このセットに含まれる４つの指令のうちの第1のものは、「ＣＫＤチェーンを送る」指令である。この指令は、送られている「ＣＫＤ（カウントキーデータ方式）」及び「チェーン」フラグを有するＳＥＮＤ  ＤＩＡＧＮＯＳＴＩＣＳ（診断を送る）指令を用いて送られる。この指令は、本発明の図示された実施の形態においては、８バイトと、ＣＣＷ（チャネル指令語）につき８バイトを有するＣＣＷチェーンと、可変数のバイトを有するＣＣＷパラメータとを有する特徴ヘッダから成るパラメータ・リストを送る。図３Ａを参照すると、ＳＥＮＤ  ＣＫＤ  ＣＨＡＩＮ（ＣＫＤチェーンを送る）パラメータ・ヘッダのためのフォーマットが示され、図３Ｂには、長さＮのＳＥＮＤ  ＣＫＤ  ＣＨＡＩＮパラメータが示されている。
書き込みＣＫＤデータ指令は、ＣＫＤ及びＷＲＩＴＥ（書き込み）フラグ・セットを有するＳＥＮＤ  ＤＩＡＧＮＯＳＴＩＣＳ（診断を送る）指令を用いて履行される。ＰＡＲＡＭＥＴＥＲＳ  ＬＥＮＧＴＨ（パラメータ長さ）は、８に等しくセットされ、ＥＸＴＥＮＤＥＤ  ＰＡＲＡＭＥＴＥＲＳ  ＬＥＮＧＴＨ（拡張されたパラメータ長さ）は、ゼロに等しくセットされる。指令は、順々に来る書き込まれたフィールドのすべてでもって書き込み指令のチェーンのデータを書き込むであろう。この指令は、チェーンの終り、すなわち第１の読取りＣＣＷが生じるか、もしくはチェーンを分割する第１の「ＴＩＣ」指令が生じるかのいずれかが生じるまで、データを転送する。
第３のＣＫＤ指令、「読取りＣＫＤデータ」指令、は、送られている「ＣＫＤ」及び「ＲＥＡＤ（読取り）」フラグを有する、ＲＥＡＤ  ＤＩＡＧＮＯＳＴＩＣ  ＲＥＳＵＬＴＳ（診断結果を読取る）指令を用いて送られ、ＰＡＲＡＭＥＴＥＲＳ  ＬＥＮＧＴＨ（パラメータ長さ）は８に等しくセットされ、ＥＸＴＥＮＤＥＤ  ＰＡＲＡＭＥＴＥＲＳ  ＬＥＮＧＴＨ（拡張されたパラメータ長さ）はゼロに等しくセットされる。指令は、読取りフィールドのすべてが順々に来るとき、読取り指令のチェーンのデータを読取るであろう。この指令は、チェーンの終了、第１のＷＲＩＴＥ  ＣＣＷ（書き込みＣＣＷ）か、チェーンを分割する第１の「ＴＩＣ」指令かのいずれかの発生まで、データを転送するであろう。
第４の指令、「読取りＣＫＤチェーン結果」、は、「ＣＫＤ」及び「ＥＣＨＮ」フラグ・セットを有するＲＥＡＤ  ＤＩＡＧＮＯＳＴＩＣ  ＲＥＳＵＬＴＳ（診断結果を読取る）指令を用い、ＰＡＲＡＭＥＴＥＲＳ  ＬＥＮＧＴＨは８に等しくセットされ、ＥＸＴＥＮＤＥＤ  ＰＡＲＡＭＥＴＥＲＳ  ＬＥＮＧＴＨは３２に等しくセットされる。この指令は、制御装置のチェーンの終了状態を読取る。もし戻りコードがゼロに等しいならば、センスビットは拡張されたデータ内にある。好ましくは、３２のセンスビットがある。これらの指令のフォーマットが、図３Ｃ及び３Ｄに示されている。
従って、本発明の示された実施の形態は、事実上サイド・チャネル通信路であるところのものを、高速で、すなわちＳＣＳＩの速度で動作させるのを可能とする指令の「特別の特徴グループ」として、ホスト及び記憶制御装置によって認識可能な態様で、ＳＣＳＩ診断指令の或るものを構成することによって、標準のＳＣＳＩインターフェースを渡って指令の全補数を長所的に伝送する。このことは、ホスト・アクティビティの全範囲が行われるのを可能とし、それにおいて、ホストは、その他の方法では標準のＳＣＳＩインターフェースを渡ってホストにとって利用可能でない制御装置の種々の機能を制御することができる。これらの指令は、例えば、記憶制御装置及びその記憶エレメントの構成を確認する能力、記憶制御装置においてホストによって作られた予約を制御する能力、ホストの必要性、すなわちＳＣＳＩアダプタ書き込み保護に従って、記憶構成を変えて適応記憶を行う能力、記憶制御装置において生じる「イベント警報」をホストが確認する能力、そしてプロプラエタリ・チャネル２２を通してＰＣから動作させることと対立するものとして、遠隔ディスク機能を行ってそれらをホストから制御する能力を含む。勿論、他の機能も行うことができる。
説明した発明の追加、控除、及び他の変更は、この分野に熟練したものにとって明瞭であり、以下の請求の範囲の範囲内にある。
【図１】
0004583507.tif 000002
【図２Ａ】
0004583507.tif 000003
【図２Ｂ】
0004583507.tif 000004
【図２Ｃ】
0004583507.tif 000005
【図２Ｄ】
0004583507.tif 000006
【図２Ｅ】
0004583507.tif 000007
【図２Ｆ】
0004583507.tif 000008
【図２Ｇ】
0004583507.tif 000009
【図３Ａ】
0004583507.tif 000010
【図３Ｂ】
0004583507.tif 000011
【図３Ｃ】
0004583507.tif 000012
【図３Ｄ】
0004583507.tif 000013